(57)【特許請求の範囲】
【請求項１】
木製の素材からなる、簡単キーホルダー本体（１）を背面から見て、底部左側にＵ字型フックを差し込む下部の穴（８）と、右側にはキヤップを固定する溝（７）がそれぞれ設けられ、又、右上部角は斜めに切断された形状であり、紐を差し込まれる上部の穴（１０）が設けられ、その中に、一本の紐の両端が揃えられて差込まれ、接着剤（９）で固定されており、Ｕ字型フックは、ビニールでコーティングされた金属製のＵ字型の形状の針金（１１）であって、一方の先端（１２）は、下部の穴（８）に差込まれ、接着材で固定されており、他方の先端（１３）に、キヤップ（６）が被せられ、溝（７）に固定できるようにして、前記一方の先端（１２）を中心としてＵ字型フックを回転させ、キヤップ（６）を前記溝（７）に入れる時、入り口は狭いため強く押し込んで固定される形状であって、ビニールでコーティングされた金属製の針金（１１）は、外側のビニール（５）と内側の金属製針金（４）の接する部分は、何も固定されていないため、ビニール（５）に対して、金属製針金（４）は回動自在であることを特徴とする簡単キーホルダー。
【発明の詳細な説明】
【技術分野】
【０００１】
本発明は、木材からなる本体に固定させた、Ｕ字型のフックを右に回転させて固定できるキーホルダーに関する。
【背景技術】
【０００２】
木材の素材からなるキーホルダー本体に、Ｕ字型フックを使用して、右に回転させて使用するキーホルダーであり、根元を接着剤で固定しても回転できる構造のキーホルダーは他に見当たらない。
特許２７４２９０６号公報（保持板付きキーホルダー）。  
特許５３６３６７５号公報（ピンを斜刺する動物型磁石付きフック）
【先行技術文献】
【特許文献】
【０００３】
【特許文献１】特許２７４２９０６号公報
【特許文献２】特許５３６３６７５号公報
【発明の概要】
【発明が解決しようとする課題】
【０００４】
従来、キーホルダーは簡単に鍵を短時間で出し入れすることが出来なかった。
又、大変技術や素材が高度になり、購入するときのコストも高い。
これらの欠点は、解決しなければならない課題であり、その課題を解決するために発明したものである。
【課題を解決するための手段】
【０００５】
本発明は，課題を解決するため以下の構成とする。
木製の素材からなる、簡単キーホルダー本体（１）を背面から見て、底部左側にＵ字型フックを差し込む下部の穴（８）と、右側には、キヤップを固定する溝（７）をそれぞれ設けた。
ビニールでコーティングした金属製の針金（１１）をＵの字の形状にして、一方の先端（１２）を、Ｕ字型フックを差し込む下部の穴（８）に差込み、接着剤（９）で固定した。
他方の先端（１３）には、キヤップ（６）を被せた構造にして、キヤップを固定する溝（７）に固定できる構造にした。
又、簡単キーホルダー本体（１）の右上部角を斜めに切断して、紐を差し込む上部の穴（１０）を設け、紐（２）の左右先端を揃えて、紐を差し込む上部の穴（１０）に入れて、接着剤（９）で固定した。
【０００６】
キヤップを固定する溝（７）は、キヤップ（６）を回転させて入れる時、入り口は狭くしている構造であり、力を入れて押し込むと固定されて動かない。（図６）
又、前述のように底部左側に、Ｕ字型フックを差し込む下部の穴（８）に、ビニールでコーティングした金属製の針金（１１）をＵ字型にして、接着剤で固定してあるが、しかし、金属製のビニールでコーティングした金属製の針金（１１）は、外側のビニール（５）と内側の金属製針金（４）の接する部分は、何も固定されていないため、一方の先端（１２）を接着剤（９）で固定しても、接点は回動自在にまわる構造である。
【発明の効果】
【０００７】
イ．  簡単キーホルダーに自動車、自宅の玄関の鍵など、輪の付いているものは、何でも簡単に短時間で出し入れさせる事が出来る。
ロ．  形状が全て簡単なため、顧客に安価で提供できるため産業上利用できる。
ハ．  簡単キーホルダー本体は、木製のため正面・背面に、文字・動物の絵・レーザー彫刻等をする事が出来る。
ニ．  紐を溝側上部に取り付けるため使用時は、簡単キーホルダー本体は斜めになり、ロックされているため、Ｕ字型フックに負荷を掛けるとキヤップは、溝の壁に当たり下に引く力は強度がます。
【図面の簡単な説明】
【０００８】
【図１】フックを固定した状態の正面図
【図２】フックを固定した状態の左側断面図
【図３】フックを固定した状態の右側断面図
【図４】フックを固定した状態の背面断面図
【図５】フックを開放した状態の背面断面図
【図６】フックを開放した状態の底面図
【発明を実施するための形態】
【０００９】
従来、キーホルダーはキーをセットしようとすると、中々時間がかかる。
購入する時も、価格が高価な物が多く、選択に時間がかかる。
本発明は木製の素材からなる、簡単キーホルダー本体（１）を背面から見て、底部左側にＵ字型フックを差し込む下部の穴（８）を設け、右側には、キヤップを固定する溝（７）をそれぞれ設けた。
ビニールでコーティングした金属製の針金（１１）をＵ字型の形状にして、一方の先端（１２）を、Ｕ字型フックを差し込む下部の穴（８）に差込み、接着材で固定した。
又他方の先端（１３）には、キヤップ（６）を被せた構造にして、キヤップを固定する溝（７）に固定できる構造にした。
【００１０】
キヤップを固定する溝（７）は、キヤップ（６）を回転させて入れる時、入り口は狭く成っているため、力を入れて押し込むと固定される。（図６）
又、底部左側にＵ字型フックを差し込む下部の穴（８）に、ビニールでコーティングした金属製の針金（１１）を差し込んで、接着剤で固定したが、しかし、金属製のビニールでコーティングした金属製の針金（１１）は、外側のビニール（５）と内側の金属製針金（４）の接する部分は、何も固定されていないため接点は当然、回動自在にまわる構造である。
【符号の説明】
【００１１】
（１）    簡単キーホルダー本体
（２）    紐
（３）    Ｕ字型フック
（４）    金属製針金
（５）    ビニール
（６）    キヤップ
（７）    キヤップを固定する溝
（８）    Ｕ字型フックを差し込む下部の穴
（９）    接着剤
（１０）  紐を差し込む上部の穴
（１１）  ビニールでコーティングした金属製針金
（１２）  一方の先端
（１３）  他方の先端
【要約】
【課題】従来、キーホルダーはキーをセットしようとすると、中々時間がかかる。購入する時も、価格が高価な物が多く、選択に時間がかかって困る。本発明では、安価で、簡単操作の簡単キーホルダーを提供する。
【解決手段】簡単キーホルダー本体を背面から見て、底部左側に底部左側にＵ字型フックを差し込む下部の穴と、右側には、キヤップを固定する溝をそれぞれ設けた。上部右角を斜めに切断して、紐を差し込む上部の穴を設けた。
ビニールでコーティングした金属製の針金をＵの字の形状にして、一方の先端を下部の穴に差込み、接着材で固定した。
他方の先端には、キヤップを被せる構造にして、キヤップを固定する溝に強く押して固定できる構造にした。
コーティングした金属製の針金は、外側のビニールと金属製針金の接する部分は、何も固定もされていないため其の接点は当然回動自在にまわる構造であることを特徴とする。
【選択図】図４【図１】
0005886917.tif 000002
【図２】
0005886917.tif 000003
【図３】
0005886917.tif 000004
【図４】
0005886917.tif 000005
【図５】
0005886917.tif 000006
【図６】
0005886917.tif 000007